(57)【要約】【課題】  遊技盤に設けられた複数の始動口に対して、発射ハンドルにより発射装置の弾発力を調整しなくても遊技球が偏ることなく入賞できるようにする。【解決手段】  遊技球が流下する遊技盤２ａの遊技領域２ｂに設けられた仮入賞口１６と、遊技領域２ｂにおける仮入賞口１６よりも低い位置に設けられた第１の始動口１２ａおよび第２の始動口１２ｂと、仮入賞口１６に連通するとともに、第１の始動口１２ａおよび第２の始動口１２ｂに向けて開口して形成され、仮入賞口１６に入った遊技球を第１の始動口１２ａまたは第２の始動口１２ｂに案内する流下路１７とを有する構成とする。流下路１７には、仮入賞口１６に入った遊技球を第１の始動口１２ａへ延びる第１の通路１７ａ−１と第２の始動口１２ｂへ延びる第２の通路１７ｂ−１とに振り分ける振分部材１９が配置されている【選択図】        図２
2006034663.tif 000002
【特許請求の範囲】
【請求項１】
遊技球が流下する遊技盤の遊技領域に設けられた仮入賞口と、
前記遊技領域における前記仮入賞口よりも低い位置に設けられた第１の始動口および第２の始動口と、
前記仮入賞口に連通するとともに、前記第１の始動口および前記第２の始動口に向けて開口して形成され、前記仮入賞口に入った遊技球を前記第１の始動口または前記第２の始動口に案内する流下路と、
を有することを特徴とする遊技機。
【請求項２】
前記流下路には、仮入賞口に入った遊技球を前記第１の始動口へ延びる第１の通路と前記第２の始動口へ延びる第２の通路とに振り分ける振分部材が配置されていることを特徴とする請求項１記載の遊技機。
【請求項３】
前記振分部材は、遊技球を交互に前記第１の通路と前記第２の通路とに振り分けることを特徴とする請求項２記載の遊技機。
【請求項４】
前記振分部材は、
前記第１の通路および前記第２の通路に向けて揺動自在に設けられ、前記仮入賞口に入った遊技球が導かれる揺動板と、
前記揺動板の揺動支点に立設され、当該揺動板を前記第１の通路側と前記第２の通路側とに区画する区画板とを有し、
前記区画板は、前記揺動板の傾斜方向に応じて、当該揺動板における前記遊技球の導かれる位置を前記第１の通路側と前記第２の通路側とに振り分けることを特徴とする請求項３記載の遊技機。
【請求項５】
前記流下路は、前記遊技盤の裏面に配置されていることを特徴とする請求項１〜４の何れか一項に記載の遊技機。
【請求項６】
前記遊技盤は透明性を有する部材で構成されていることを特徴とする請求項１〜５の何れか一項に記載の遊技機。
【発明の詳細な説明】
【技術分野】
【０００１】
本発明は遊技機に関し、特に、遊技盤に複数の始動口が設けられたパチンコ遊技機に適用して有効な技術に関するものである。
【背景技術】
【０００２】
遊技媒体として遊技球を使用する遊技機においては、遊技の興趣を向上させる手段として、例えば特開２００３−７１００５号公報では、遊技領域に複数の始動口を設けておき、各始動口を入賞が有効なモードと無効なモードとに切り替える技術が開示されている。
【０００３】
このような遊技機では、遊技者はモードの切り替えに合わせて遊技球の勢いを調整し、入賞が有効となった始動口を狙って遊技球を発射することになる。
【特許文献１】特開２００３−７１００５号公報
【発明の開示】
【発明が解決しようとする課題】
【０００４】
しかしながら、前述の従来技術では、入賞が有効となった始動口へ遊技球を入賞させるために、発射ハンドルを時計回りおよび反時計回りに適宜回動操作することにより、遊技球を遊技領域に弾き入れる発射装置の弾発力を変更しなければならない。
【０００５】
これでは遊技者にとって操作が煩わしくなり、遊技の興趣が損なわれるおそれがある。
【０００６】
そこで、本発明は、遊技盤に設けられた複数の始動口に対して、発射ハンドルにより発射装置の弾発力を調整しなくても遊技球が偏ることなく入賞可能な遊技機を提供することを目的とする。
【課題を解決するための手段】
【０００７】
上記課題を解決するため、本発明に係る遊技機は、遊技球が流下する遊技盤の遊技領域に設けられた仮入賞口と、遊技領域における仮入賞口よりも低い位置に設けられた第１の始動口および第２の始動口と、仮入賞口に連通するとともに、第１の始動口および第２の始動口に向けて開口して形成され、仮入賞口に入った遊技球を第１の始動口または第２の始動口に案内する流下路とを有することを特徴とする。
【０００８】
これにより、仮入賞口に入った遊技球が流下路により第１の始動口または第２の始動口に案内されるので、発射ハンドルにより発射装置の弾発力を調整しなくても、遊技盤に設けられた複数の始動口に対して偏ることなく遊技球を入賞させることが可能になる。
【０００９】
本発明の好ましい形態において、流下路には、仮入賞口に入った遊技球を第１の始動口へ延びる第１の通路と第２の始動口へ延びる第２の通路とに振り分ける振分部材が配置されていることを特徴とする。
【００１０】
これにより、振分部材により遊技球が第１の始動口または第２の始動口に導かれるので、発射ハンドルにより発射装置の弾発力を調整しなくても、複数の始動口に対して偏ることなく遊技球を入賞させることが可能になる。
【００１１】
本発明のさらに好ましい形態において、振分部材は、遊技球を交互に第１の通路と第２の通路とに振り分けることを特徴とする。
【００１２】
これにより、複数の始動口に対して遊技球を均等に入賞させることが可能になる。
【００１３】
本発明のさらに好ましい形態において、振分部材は、第１の通路および第２の通路に向けて揺動自在に設けられ、仮入賞口に入った遊技球が導かれる揺動板と、揺動板の揺動支点に立設され、当該揺動板を第１の通路側と第２の通路側とに区画する区画板とを有し、区画板は、揺動板の傾斜方向に応じて、当該揺動板における遊技球の導かれる位置を第１の通路側と第２の通路側とに振り分けることを特徴とする。
【００１４】
これにより、振分部材を揺動板とこの揺動板に立設された区画板とで構成することで、廉価かつ簡便な構造で複数の始動口に対して遊技球を均等に入賞させることが可能になる。
【００１５】
本発明のさらに好ましい形態において、流下路は、遊技盤の裏面に配置されていることを特徴とする。
【００１６】
これにより、流下路が遊技領域内の妨げとならないので、遊技部材のレイアウトが流下路の存在により損なわれることがない。
【００１７】
本発明のさらに好ましい形態において、遊技盤は透明性を有する部材で構成されていることを特徴とする。
【００１８】
これにより、流下路を転動流下する遊技球の様子を視認することができ、遊技の興趣の向上を図ることが可能になる。
【発明の効果】
【００１９】
本発明によれば以下の効果を奏することができる。
【００２０】
すなわち、本発明によれば、仮入賞口に入った遊技球が流下路により第１の始動口または第２の始動口に案内されるので、発射ハンドルにより発射装置の弾発力を調整しなくても、遊技盤に設けられた複数の始動口に対して偏ることなく遊技球を入賞させることが可能になる。
【００２１】
また、流下路に振分部材を配置することにより、この振分部材により遊技球が第１の始動口または第２の始動口に導かれるので、発射ハンドルにより発射装置の弾発力を調整しなくても、複数の始動口に対して偏ることなく遊技球を入賞させることが可能になる。
【００２２】
振分部材で遊技球を交互に第１の通路と第２の通路とに振り分けるようにすれば、複数の始動口に対して遊技球を均等に入賞させることが可能になる。
【００２３】
振分部材を揺動板とこの揺動板に立設された区画板とで構成すれば、廉価かつ簡便な構造で複数の始動口に対して遊技球を均等に入賞させることが可能になる。
【００２４】
流下路を遊技盤の裏面に配置すれば、流下路が遊技領域内の妨げとならないので、遊技部材のレイアウトが流下路の存在により損なわれることがない。
【００２５】
そして、遊技盤を透明性を有する部材で構成すれば、流下路を転動流下する遊技球の様子を視認することができるので、遊技の興趣の向上を図ることが可能になる。
【発明を実施するための最良の形態】
【００２６】
以下、本発明を実施するための最良の形態を、図面を参照しつつさらに具体的に説明する。ここで、添付図面において同一の部材には同一の符号を付しており、また、重複した説明は省略されている。なお、ここでの説明は本発明が実施される最良の形態であることから、本発明は当該形態に限定されるものではない。
【００２７】
図１は本発明の一実施の形態である遊技機を示す斜視図、図２は図１の遊技機の遊技盤を示す概略図、図３は図２の遊技盤に設けられた流下路を遊技盤の裏面から示す斜視図、図４は図３の遊技盤に設けられた第１の始動口と第１の開口部を示す図、図５は遊技球を第１の通路に案内する場合の振分部材の動作を示す説明図、図６は遊技球を第２の通路に案内する場合の振分部材の動作を示す説明図である。
【００２８】
図１および図２に示すように、パチンコ遊技機（遊技機）１は、遊技盤２ａが装着された本体枠３ａがヒンジを介してベース枠３ｂに回動可能に取り付けられ、これら本体枠３ａおよびベース枠３ｂで遊技機本体３が構成されている。そして、このような遊技機本体３に対して、遊技盤２ａを視認可能に被うガラス扉４、およびガラス扉４の下側に位置する皿ユニット５が取り付けられている。これらガラス扉４および皿ユニット５は、その一端が遊技機本体３に回動可能に軸支されており、他端が遊技機本体３に係合するようになっている。
【００２９】
遊技盤２ａは、そのレール６に包囲された遊技領域２ｂに、多数の遊技くぎ１１や風車などの障害物、一般入賞口、始動口１２ａ，１２ｂ、大入賞口１３、アウト口１４、始動ゲート、普通図柄表示装置、特別図柄表示装置１５、仮入賞口１６などからなる遊技部材が配置されている。
【００３０】
ここで、一般入賞口は、遊技球が入賞すると所定の数の遊技球が払い戻される装置、始動口１２ａ，１２ｂは、遊技球が入賞すると特別図柄表示装置１５の複数の図柄を変動・停止させる装置、大入賞口１３は、特別図柄表示装置１５の停止時における図柄の組み合わせが予め設定された特定の図柄の組み合わせとなって特別遊技状態に移行した場合に開放状態となる装置である。また、アウト口１４は、一般入賞口、始動口１２ａ，１２ｂ、大入賞口１３の何れにも入賞しなかった遊技球が流入して回収される装置である。そして、特別図柄表示装置１５は、例えば液晶ディスプレイ、ＣＲＴ（陰極線管）あるいはプラズマディスプレイ等からなり、画像信号入力に基づいて任意の画像を表示する装置である。なお、仮入賞口１６および仮入賞口１６と始動口１２ａ，１２ｂとの関係については後述する。
【００３１】
本実施の形態において、遊技盤２ａは、たとえばポリカーボネートなど透光性を有する樹脂からなり、前述した特別図柄表示装置１５は、このような遊技盤２ａの背後に配置され、遊技盤２ａを通して視認可能になっている。
【００３２】
但し、遊技盤２ａはポリカーボネート以外の樹脂であってもよく、また透光性を有していなくてもよい。さらに、例えば木製など、樹脂以外の部材であってもよい。なお、遊技盤２ａが透光性を有さない樹脂製の場合や木製の場合には、特別図柄表示装置１５は遊技盤２ａに開口された表示窓を介して視認可能に配置される。
【００３３】
なお、図２において、始動口１２ａ，１２ｂ、大入賞口１３、アウト口１４、特別図柄表示装置１５、仮入賞口１６以外の遊技部材は、図示が省略されている。また、遊技くぎ１１は、要部に位置する一部のみが図示されている。
【００３４】
図１において、遊技盤２ａの下方には、前述のように皿ユニット５が配置されている。皿ユニット５には、払い出された遊技球および遊技領域に打ち込まれる遊技球が貯留される上皿５ａが上部に配置され、払い出しにより上皿５ａからオーバーフローした遊技球が貯留される下皿５ｂが下部に配置されている。また、皿ユニット５の右側には、レール６を介して遊技盤２ａの遊技領域へ遊技球を打ち込む際に回動操作される発射ハンドル７が設けられている。さらに、遊技終了時などにおいて上皿５ａに貯留された遊技球を下皿５ｂに移動させて取り出す場合に操作されるシャッタレバー１０が設けられている。
【００３５】
なお、ガラス扉４の上部の左右には、スピーカ８ａ，８ｂがそれぞれ配置されている。
【００３６】
ここで、図２に詳しく示すように、始動口は、遊技盤２ａに向かって左側に位置する第１の始動口１２ａと左側に位置する第２の始動口１２ｂの２つが設けられており、これらの始動口１２ａ，１２ｂは、仮入賞口１６よりも低い位置に配置されている。そして、仮入賞口１６に連通し、さらに第１の始動口１２ａおよび第２の始動口１２ｂに向けて開口するようにして、流下路１７が形成されている。
【００３７】
なお、本実施の形態において、第１の始動口１２ａおよび第２の始動口１２ｂは、何れもが入賞（つまり、遊技球が入賞したときに特別図柄表示装置１５の複数の図柄を変動・停止させ得る機能）が有効となっているが、一方のみが有効となっていてもよい。あるいは、一方が入賞が有効で、他方が一般入賞口としての動作を行うようになっていてもよい。
【００３８】
流下路１７は、図３に示すように、遊技盤２ａの裏面に配置されており、仮入賞口１６に入った遊技球を転動流下させて第１の始動口１２ａまたは第２の始動口１２ｂに案内する。なお、流下路１７は遊技盤２ａの前面に配置されていてもよい。
【００３９】
図２および図４に示すように、流下路１７の第１の始動口１２ａ側の第１の開口部１７ａの直下および第２の始動口１２ｂ側の第２の開口部１７ｂの直下で、かつ第１の始動口１２ａおよび第２の始動口１２ｂの直上両側には、遊技くぎ１１が配置されている。したがって、仮入賞口１６に入球して流下路１７を転動流下し、第１の開口部１７ａまたは第２の開口部１７ｂに到達した遊技球１８は、一部はそのまま第１の始動口１２ａや第２の始動口１２ｂに入賞するが、他の一部は、遊技くぎ１１に弾かれて入賞が阻止される。
【００４０】
なお、図４においては、遊技盤２ａに向かって右側の第１の始動口１２ａと第１の開口部１７ａが示されているが、左側の第２の始動口１２ｂと第２の開口部１７ｂについても、位置関係が逆転しているだけで、同様の構成となっている。
【００４１】
流下路１７は、第１の始動口１２ａへ延びる第１の通路１７ａ−１と第２の始動口１２ｂへ延びる第２の通路１７ｂ−１とに分かれており、その分岐位置には、仮入賞口１６に入った遊技球を第１の通路１７ａ−１と第２の通路１７ｂ−１とに１個ずつ交互に振り分ける振分部材１９が配置されている。
【００４２】
この振分部材１９は、図５および図６に示すように、第１の通路１７ａ−１および第２の通路１７ｂ−１に向けて揺動自在に設けられた揺動板１９ａと、揺動板１９ａの揺動支点に立設されて揺動板１９ａを第１の通路側と第２の通路側とに区画する区画板１９ｂとからなる。そして、揺動板１９ａには仮入賞口１６に入った遊技球１８が導かれ、区画板１９ｂは、揺動板１９ａの傾斜方向に応じて、揺動板１９ａにおける遊技球１８の導かれる位置を第１の通路側と第２の通路側とに振り分ける。
【００４３】
すなわち、図５の二点鎖線で示すように、揺動板１９ａが第２の通路１７ｂ−１の方向に傾斜している場合には、区画板１９ｂは第１の通路１７ａ−１を開き、第２の通路１７ｂ−１を閉じる方向に位置するようになるので、遊技球１８は区画板１９ｂに案内されて揺動板１９ａの第１の通路側に導かれる。すると、振分部材１９はこのような遊技球１８の重さにより揺動して、図５の実線で示すように、第１の通路１７ａ−１の方向に傾斜する。これにより、遊技球１８は第１の通路１７ａ−１へと送り込まれて第１の始動口１２ａへと向かう。
【００４４】
また、図６の二点鎖線で示すように、揺動板１９ａが第１の通路１７ａ−１の方向に傾斜している場合には、区画板１９ｂは、図５に示す場合とは逆に、第１の通路１７ａ−１を閉じ、第２の通路１７ｂ−１を開く方向に位置するようになるので、遊技球１８は区画板１９ｂに案内されて揺動板１９ａの第２の通路側に導かれる。すると、振分部材１９はこのような遊技球１８の重さにより揺動して、図６の実線で示すように、第２の通路１７ｂ−１の方向に傾斜する。これにより、遊技球１８は第２の通路１７ｂ−１へと送り込まれて第２の始動口１２ｂへと向かう。
【００４５】
したがって、振分部材１９が図５に示す動きと図６に示す動きとを連続的に繰り返すことにより、遊技球１８は第１の通路１７ａ−１と第２の通路１７ｂ−１とに交互に振り分けられる。
【００４６】
このように、本発明によれば、仮入賞口１６に入った遊技球が流下路１７により第１の始動口１２ａまたは第２の始動口１２ｂに案内されるので、発射ハンドル７により発射装置の弾発力を調整しなくても、遊技盤２ａに設けられた複数の始動口１２ａ，１２ｂに対して偏ることなく遊技球を入賞させることが可能になる。
【００４７】
また、流下路１７に振分部材１９を配置することにより、この振分部材１９により遊技球が第１の始動口１２ａまたは第２の始動口１２ｂに導かれるので、発射ハンドル７により発射装置の弾発力を調整しなくても、複数の始動口１２ａ，１２ｂに対して偏ることなく遊技球を入賞させることが可能になる。
【００４８】
さらに、振分部材１９で遊技球を交互に第１の通路１７ａ−１と第２の通路１７ｂ−１とに振り分けるようにしているので、複数の始動口１２ａ，１２ｂに対して遊技球を均等に入賞させることが可能になる。また、このような振分部材１９を揺動板１９ａとこの揺動板に立設された区画板１９ｂとで構成することにより、廉価かつ簡便な構造で複数の始動口１２ａ，１２ｂに対して遊技球を均等に入賞させることが可能になる。
【００４９】
さらに、流下路１７が遊技盤２ａの裏面に配置されているので、流下路１７が遊技領域２ｂ内の妨げとならず、遊技部材のレイアウトが流下路１７の存在により損なわれることがない。
【００５０】
そして、遊技盤２ａを透明性を有する部材で構成しているので、流下路１７を転動流下する遊技球の様子を視認することができ、遊技の興趣の向上を図ることができる。
【００５１】
なお、振分部材は、前述のように遊技球を交互に第１の通路１７ａ−１と第２の通路１７ｂ−１とに振り分けるのではなく、ランダムに振り分けるものであってもよい。また、本実施の形態の振分部材１９は揺動する構造となっているが、遊技球を振り分けることができるものであれば、例えば棒状部材、仕切板、回転体など、種々の構造のものを採用することができる。そして、振分部材は、固定されて動かないものであってもよく、動く場合であっても、本実施の形態のように遊技球１８により動くのではなく、例えばソレノイドのような駆動部材に駆動されて動くようになっていてもよい。
【００５２】
さらに、振分部材１９は設けられていなくてもよく、この場合には、仮入賞口１６に入った遊技球は、第１の通路１７ａ−１と第２の通路１７ｂ−１とにランダムに振り分けられる。
【産業上の利用可能性】
【００５３】
以上の説明においては、本発明を遊技機の一つであるパチンコ遊技機１に適用した場合が説明されているが、本発明はこれに限定されるものではなく、パチスロ機、あるいはゲームセンターに設置された各種ゲーム機など、遊技盤を備えた様々な遊技機に適用することが可能である。
【図面の簡単な説明】
【００５４】
【図１】本発明の一実施の形態である遊技機を示す斜視図である。
【図２】図１の遊技機の遊技盤を示す概略図である。
【図３】図２の遊技盤に設けられた流下路を遊技盤の裏面から示す斜視図である。
【図４】図３の遊技盤に設けられた第１の始動口と第１の開口部を示す図である。
【図５】遊技球を第１の通路に案内する場合の振分部材の動作を示す説明図である。
【図６】遊技球を第２の通路に案内する場合の振分部材の動作を示す説明図である。
【符号の説明】
【００５５】
１  パチンコ遊技機（遊技機）
２ａ  遊技盤
２ｂ  遊技領域
３  遊技機本体
３ａ  本体枠
３ｂ  ベース枠
４  ガラス扉
５  皿ユニット
５ａ  上皿
５ｂ  下皿
６  レール
７  発射ハンドル
８ａ，８ｂ  スピーカ
１０  シャッタレバー
１１  遊技くぎ
１２ａ  第１の始動口
１２ｂ  第２の始動口
１３  大入賞口
１４  アウト口
１５  特別図柄表示装置
１６  仮入賞口
１７  流下路
１７ａ  第１の開口部
１７ａ−１  第１の通路
１７ｂ  第２の開口部
１７ｂ−１  第２の通路
１８  遊技球
１９  振分部材
１９ａ  揺動板
１９ｂ  区画板
【図１】
2006034663.tif 000003
【図２】
2006034663.tif 000004
【図３】
2006034663.tif 000005
【図４】
2006034663.tif 000006
【図５】
2006034663.tif 000007
【図６】
2006034663.tif 000008